(57)【要約】【課題】患者の心理的ストレスを患者に負担をかけずにモニタリングして治療にフィードバックさせる。【解決手段】被測定者にプローブ１を握らせて圧力センサ３により内部の圧力変化を検出するとともに、このプローブ１を検出電極として皮膚電位の変化を検出し、前記の圧力変化と皮膚電位の変化との双方から患者の心理的ストレスを判断する。【選択図】図１
2007283095.tif 000002
【特許請求の範囲】
【請求項１】
被測定者に弾力性のあるプローブを握らせて内部の圧力変化を検出して被測定者の心理的ストレスをモニタリングすることを特徴とする心理的ストレスの測定方法。
【請求項２】
被測定者に弾力性のある導電性のプローブを握らせて内部の圧力変化を検出するとともに、前記のプローブを検出電極として皮膚電位の変化を検出し、前記の圧力変化と皮膚電位の変化との双方から被測定者の心理的ストレスをモニタリングすることを特徴とする心理的ストレスの測定方法。
【請求項３】
掌で握るようにした弾力性のあるプローブ（１）と、このプローブ内の圧力を測定する圧力測定手段（３）とを有することを特徴とする心理的ストレス測定装置。
【請求項４】
掌で握るようにした弾力性のある導電性のプローブ（１）と、腕に接触させるようにした不関電極（２）とからなる皮膚電位測定手段と、前記プローブ内の圧力を測定する圧力測定手段（３）とを有することを特徴とする心理的ストレス測定装置。
【請求項５】
前記のプローブがゴムボールである請求項３または４に記載の心理的ストレス測定装置。
【請求項６】
前記のプローブが中空容器である請求項３または４に記載の心理的ストレス測定装置。
【請求項７】
前記のプローブが多孔質体である請求項３または４に記載の心理的ストレス測定装置。
【請求項８】
前記のプローブが本体部分から着脱自在となっている請求項３ないし７のいずれかに記載の心理的ストレス測定装置。
【発明の詳細な説明】
【技術分野】
【０００１】
本発明は、歯科等の治療中における患者の心理的ストレスをモニタリングする心理的ストレス測定方法およびその装置に関する。
【背景技術】
【０００２】
歯科等の治療は、患者、特に高齢者や有病者にとって必ずしも容易に受け入れられるものではなく、かなりの心理的負担を強いられる。しかも、治療時における患者の心理状態は予後にまで影響を与えると言われている。
治療時の心理的ストレスを把握する手段である生理指標、あるいは計測可能な生体情報としては心拍変動、血圧、脈波、呼吸数、発汗、皮膚温、眼球運動、脳波などがあるが、発汗を除くといずれも解析の困難さ、不確実さ、測定の困難さ等によって信頼性のある臨床データとはなり得ていない。
【０００３】
発汗は、俗に「手に汗を握る」といわれる精神性の発汗現象が知られており、非特許文献１には、患者に発汗計を装着し、精神性発汗を指標にして静脈内鎮静法を試みた歯科治療の報告が記載されている。
発汗を定量的に把握するには、皮膚電位計による皮膚電位（ＳＰＡ）変化の測定が好適である。非特許文献２には、一般論ではあるが、皮膚電位信号について直流成分は皮膚電位水準（Skin Potential Level，ＳＰＬ）として、また変動分は皮膚電位反応（Skin Potential Response，ＳＰＲ）として分別し、分析する手法が記載されている。
【０００４】
しかしこれまでの皮膚電位の測定は大掛かりでそれ自体に心理的ストレスを伴いかねず、また信頼性においても十分とはいえなかった。その結果、歯科等の治療において、医師は依然として患者の苦痛や緊張の度合いを額などの表情や手、声等で判断しているのが実情であり、判断には長年の経験を必要とし、正確な把握方法とはいえないばかりでなく、後日検討できるような客観的なデータが残らないという問題点があった。
【非特許文献１】「精神的発汗を指標として静脈内鎮静法を試みた一例」（田島和典ら、「発汗学」第８巻第２号、pp.31-33）
【非特許文献２】『皮膚電気活動』（新美良純、鈴木二郎著、星和書店、1986年）
【発明の開示】
【発明が解決しようとする課題】
【０００５】
本発明は、患者の心理的ストレス測定を患者に負担をかけずに測定して治療にフィードバックさせるとともに、データとして数値化して記録、検討に供するようにすることを目的とする。
【課題を解決するための手段】
【０００６】
本発明の心理的ストレスの測定方法は、被測定者に弾力性のあるプローブを握らせて内部の圧力変化を検出して被測定者の心理的ストレスをモニタリングすることを特徴とするものであるか、あるいは、被測定者に弾力性のある導電性のプローブを握らせて内部の圧力変化を検出するとともに、前記のプローブを検出電極として皮膚電位の変化を検出し、前記の圧力変化と皮膚電位の変化との双方から被測定者の心理的ストレスをモニタリングすることを特徴とするものである。
【０００７】
また、本発明の心理的ストレス測定装置は、掌で握るようにした弾力性のあるプローブと、このプローブ内の圧力を測定する圧力測定手段とを有することを特徴とするものであるか、あるいは、掌で握るようにした弾力性のある導電性のプローブと、腕に接触させるようにした不関電極とからなる皮膚電位測定手段と、前記プローブ内の圧力を測定する圧力測定手段とを有することを特徴とするものである。
【発明の効果】
【０００８】
本発明によれば、弾力性のあるプローブを握るという簡便な手段で、治療中に患者の心理的ストレスをリアルタイムで、かつ連続してモニタリングでき、直ちに治療にフィードバックさせて治療法の妥当性を判断したり、治療法を変更したり、以後の治療に対する改良策を講じる等のことに利用して、臨床医療をドクター主導形から患者主体形へ変換させ、医療の品質を向上させることができるという、すぐれた効果を奏する。
【０００９】
さらに、同じ痛み刺激でも、緊張度が高いほど感じる痛みの程度が大きく感じられることが知られているから、皮膚電位信号の変化により緊張度を把握し、これに患者の感じる痛みを圧力変化でモニタリングすることにより、緊張度が高いために痛みを感じやすいのか、術式自体に痛みを感じているのかの判断が可能になる。それによって、一度チェアを起こして緊張度を下げる、痛みの少ない術式に変更する、治療を中断する、などの選択を行い、患者サイドに立った治療を提供することが可能となる。
【発明を実施するための最良の形態】
【００１０】
本発明の心理的ストレス測定は、圧力センサを内蔵させた弾力性のある導電性のプローブを被測定者に握らせることにより、プローブ内の圧力、あるいはプローブ内の圧力と皮膚電位との双方を測定して被測定者の心理的ストレスを客観的に、かつ的確にモニタリングできるようにしたことを特徴とする。
患者が感じる痛みの大きさを握る強さで表してもらうことにより、圧力を痛みの主観的評価手段、皮膚電位を生体現象としての緊張度の評価手段として、患者の緊張度と実際に感じた痛みの大きさとの関連を総合的に判断することにより、患者の状態をより正確に把握することができる。
【実施例】
【００１１】
以下本発明の実施例を図面により説明する。
実施例１
図１は第１の実施例における心理的ストレス測定装置の要部を示す正面図で、１は導電性ゴムよりなる中空の球体、これがプローブで、検出電極でもある。１３はこれに電線を着脱自在に取り付けるためのソケット、２は比較のための不関電極で、前記検出電極１と組み合わせて皮膚電位測定手段を構成する。３は前記球体の内部に挿入される圧力センサである。皮膚電位は精神性発汗を計測し、圧力センサ３は握り締めの力、すなわち心理的ストレスを検知する。これらにより心理的ストレスが定量化できる。８ａ〜８ｃは各電極、センサから電気信号を取り出すコードである。周辺の治療機器等からのノイズを防止するため、コードにはシールド線を使用することが好ましい。
【００１２】
図２はプローブ１とソケット１３付近をさらに詳しく説明する部分正面図で、プローブ１はゴムボール１１と口金１２とからなり、口金１２がソケット１３にねじ込まれて固定される。ソケット１３の中心付近に圧力センサ３が配置されている。検出電極でもあるゴムボール１１は患者が握って使用するものであるから、患者毎に消毒することが必要であり、ソケット１３を含む本体部分から外して消毒済のものと交換するなどの使用法を実行することが好ましい。
【００１３】
図３はこの心理的ストレス測定装置の使用状態を示す斜視図で、被測定者はゴムボール１１を握るとともに腕に不関電極２を巻き付ける。ゴムボールの握り方は、５本の指、特に親指の付け根の腹の部分と中指、薬指で把持するようにする。ゴムボール１１は、目的は異なるが、血圧測定の際医師が使用するゴムボールをイメージすればよい。同様に、不関電極２もバンド状で、血圧測定の際患者の腕に巻き付けるものとほぼ同じである。
【００１４】
ゴムボール１１は導電性ゴム製である。導電性ゴムは、ゴムにカーボンブラックなどの伝導体を添加したもので、導電性とともにゴム本来の弾性も有しており、例えば半導体工場やＭＲＩなどの医療機器の床などに静電気対策の床シートとして使われているほか、レーザプリンタのゴムローラや面状発熱体など、近年さまざまな分野で使用されている。
圧力センサ３は各種の小型のものが市販されており、乾電池使用で広い圧力範囲のものが選択できる。
【００１５】
図４は本発明実施例における機器構成を示すブロック図で、４ａ、４ｂは増幅器、５はＡ／Ｄ変換器、６はパソコン（パーソナルコンピュータ）、７はプリンタ、モニタ等の出力部である。検出電極１からの出力は微小であるから、増幅器４により、例えば±100ｍＶのものを±1Ｖ程度に増幅するとよい。パソコン６ではモニタリングのほか各種演算、判定を行い、出力部７ではこれらの分析結果の表示や記録、遠隔地への転送等を行なう。
【００１６】
実施例２
図５は本発明の第２の実施例における心理的ストレス測定装置の要部を示す正面図で、１ａはプローブ、１１ａは導電性ゴム製のスリーブで、これが検出電極でもある。１１ｂはポリエチレン樹脂製の中空容器で、醤油やドレッシング等を入れて持ち歩く容器として、「たれ瓶」などの名称で市販されている。中空容器１１ｂ自体に導電性はないが、周囲にスリーブ１１ａを嵌めることにより全体で弾力性のある導電性のプローブが形成される。１３ａは薄い銅板などの金属板で、コード８ａがはんだ付けされており、スリーブ１１ａと中空容器１１ｂとの中間に挿入されることによりソケット（接点部）の役割をする。容器のふたからはビニル樹脂製のチューブ８ｄが引き出されている。スリーブ１１ａは患者ごとに消毒したものと交換する。
【００１７】
市販の中空容器には１６、３５、５５、８８ｍｌなどの大小異なる容量のものがあるが、本発明の目的から、被測定者である患者が無意識に握りやすい大きさとして、５０ｍｌ以下であることが好ましいようである。第１の実施例におけるゴムボールは、患者の握りやすさという面でやや難がある。この実施例の中空容器はその点理想的である。
機器の構成は原則としてさきに示した図４と同様であるが、圧力センサはチューブを延ばして、外部に設置してもよい。図６は図４における増幅器の部分をユニット化した例を示す正面図で、４１は金属製のケースである。図示しないが圧力センサ、増幅器などが内部に納められており、検出電極からのコード８ａ、チューブ８ｄ、不関電極からのコード８ｃが引き込まれ、出力側にはコード９が引き出されている。４２はケースを吊るす把手、４３はスイッチである。把手４２を被測定者の座るチェアのひじ掛け等にかけて使用するとよい。ケースを金属製としたのは周囲のノイズを遮断するためである。
【００１８】
なおプローブとしては、ゴムボール、中空容器の他に樹脂製の多孔質体など、握って圧力が検知できるものであれば何でも使用可能である。
図７は被測定者が握るプローブ１と不関電極２を患者用のチェアのひじ掛けＡ部分に組み込んだ例を示す概念図である。
図８は本発明の心理的ストレス測定装置による測定結果の一例を示すグラフである。上段は皮膚電位、下段は圧力で、縦軸の単位はいずれもｍＶである。横軸は経過時間（必ずしも測定開始からの経過時間ではない）で、１目盛が１分である。これは歯科における感染根管治療の例であり、横軸の１時間で仮歯の除去、１時間０２分で根の治療開始、１時間２１分で根尖到達し、このとき痛み刺激が発生しているものと思われる。１時間３６分で根の治療終了、１時間３７分で仮歯取り付け、１時間４２分で治療終了を告げている。
【００１９】
図８は図７の測定データの内、注目すべき部分を横軸を拡大してモニタリングしたもので、横軸の１目盛りは５秒である。
皮膚電位信号については、直流成分は皮膚電位水準（ＳＰＬ）として、また変動分は皮膚電位反応（ＳＰＲ）として分別する。
皮膚電位では、緊張の度合いが大きいほどＳＰＬ値が下がる（陰性となる）ことが知られている。さらにＳＰＲの陰性成分の多さ、大きさ、ＳＰＲの発生頻度などから緊張度を判断することができる。一方圧力については間歇的に発生が見られるので、しきい値を２段階設定して痛みの度合いを３ランクに分けるなどのことが考えられる。
【００２０】
本発明のストレス測定は、後日の検討試料として活用できることはいうまでもないが、第一義的には、治療中の医師にリアルタイムで情報をフィードバックすることにある。医師へのフィードバック方法としてディスプレイによる表示以外に、例えば、しきい値等により設定したプログラムにより、段階的なビープ音（警告音）、ライトの点滅、歯科用切削器具の停止などの方法で、治療に支障のないサインを医師に向けて出すことが望ましい。
【００２１】
このように本発明による測定データの活用にはさまざまな問題点もあるが、従来の一方的な治療に比べ、患者の心理的ストレスがより正確に、かつリアルタイムに医師にフィードバックされることの意義は大きい。
【図面の簡単な説明】
【００２２】
【図１】本発明の第１の実施例の心理的ストレス測定装置の要部を示す正面図である。
【図２】本発明の第１の実施例の心理的ストレス測定装置の要部を示す部分正面図である。
【図３】本発明の第１の実施例の心理的ストレス測定装置の使用状態を示す斜視図である。
【図４】本発明の第１の実施例における機器構成を示すブロック図である。
【図５】本発明の第２の実施例の心理的ストレス測定装置の要部を示す正面図である。
【図６】本発明の第２の実施例の心理的ストレス測定装置の構成の一部を示す正面図である。
【図７】本発明の実施例の心理的ストレス測定装置を組み込んだ患者要のチェアの一部を示す概念図である。
【図８】本発明の実施例における測定データの一例を示すグラフである。
【図９】図７の測定データの一部を時間軸を拡大して示すグラフである。
【符号の説明】
【００２３】
１、１ａ    プローブ（検出電極）
２    不関電極
３    圧力センサ（圧力検出手段）
４ａ、４ｂ    増幅器
５    Ａ／Ｄ変換器
６    パソコン（パーソナルコンピュータ）
７    出力部
８ａ〜８ｃ、９    コード
８ｄ    チューブ
１１    ゴムボール（プローブ）
１１ａ    スリーブ
１１ｂ    中空容器（プローブ）
１２    口金
１３    ソケット（接点部）
１３ａ    金属板（接点部）
４１    ケース
４２    把手
４３    スイッチ
Ａ    ひじ掛け
【図１】
2007283095.tif 000003
【図２】
2007283095.tif 000004
【図３】
2007283095.tif 000005
【図４】
2007283095.tif 000006
【図５】
2007283095.tif 000007
【図６】
2007283095.tif 000008
【図７】
2007283095.tif 000009
【図８】
2007283095.tif 000010
【図９】
2007283095.tif 000011